(57)【特許請求の範囲】
【請求項１】
基板に実装されたＬＥＤパッケージと、
前記ＬＥＤパッケージに対向するように配置され、前記ＬＥＤパッケージからの光を透
過するレンズと、
前記レンズを前記ＬＥＤパッケージに対して位置決めした状態で前記基板上に支持する
レンズホルダと、
前記レンズホルダを前記基板に押圧固定するホルダ固定手段と、
を備えた照明装置において、
前記レンズは、
・レンズ中心軸を中心とするリング状のフランジ部が外周に沿って形成されており、
・前記ＬＥＤパッケージからの立体的な出射光束の中心の光が進行する方向を光軸とす
ると、レンズ中心軸と前記光軸とが同心となるように前記レンズホルダで支持され、
前記レンズホルダは、
・前記レンズの前記フランジ部を保持するレンズ保持部と、このレンズ保持部よりも前
記レンズ中心軸から離れて位置し且つ前記レンズ保持部を取り囲むように位置して前記ホ
ルダ固定手段によって前記基板に押圧固定されるホルダ固定部と、前記レンズ保持部と前
記ホルダ固定部とを部分的に接続する連結部と、を有し、
・前記ホルダ固定部の前記基板からの高さが前記レンズ保持部の前記基板からの高さよ
りも高く、前記レンズ保持部が前記ホルダ固定手段に接触しないようになっており、
・前記ホルダ固定部が前記ホルダ固定手段によって高さ方向に押圧されたとしても、前
記ホルダ固定部の変形が前記レンズ保持部に影響しないように、前記レンズ保持部と前記
ホルダ固定部の高さ方向の一部分が前記連結部で連結されている、
ことを特徴とする照明装置。
【発明の詳細な説明】
【技術分野】
【０００１】
この発明は、ＬＥＤパッケージを光源として使用する照明装置に関するものである。
【背景技術】
【０００２】
従来から、図１１に示すように、基板１０１上に実装されたＬＥＤチップ１０２からの
光をレンズ１０３を介して出射する照明装置１００が知られている。この照明装置１００
は、レンズ１０３のフランジ部１０４をレンズホルダ１０５のフランジ部嵌合溝１０６に
嵌合し、レンズホルダ１０５によってレンズ１０３を基板１０１上に保持するようになっ
ている。そして、この照明装置１００は、レンズホルダ１０５が化粧板１０７を介してね
じ１０８で基板１０１に締結固定されている（特許文献１参照）。
【先行技術文献】
【特許文献】
【０００３】
【特許文献１】特開２００７−２２０４６５号公報（特に、図４参照）
【発明の概要】
【発明が解決しようとする課題】
【０００４】
しかしながら、図１１に示したような従来の照明装置１００は、ねじの締め付け力がレ
ンズホルダ１０５を介してレンズ１０３の出射面に歪みを生じさせ易く、更に、レンズ１
０３とＬＥＤチップ１０２との設計上の位置関係にずれを生じさせる虞があるため、光学
性能が低下するという問題を生じる。
【０００５】
また、図１１に示したような従来の照明装置１００は、ＬＥＤチップ１０２からの光の
利用効率を高めるために、レンズ１０３と基板１０１又はＬＥＤチップ１０２との隙間を
微小に設計した場合に、レンズホルダ１０５がねじの締め付け力で変形すると、レンズ１
０３が基板１０１又はＬＥＤチップ１０２に突き当たり、レンズ１０３，基板１０１又は
ＬＥＤチップ１０２が損傷する虞がある。特に、このような照明装置１００を車両等の振
動が作用する箇所に使用すると、レンズ１０３と基板１０１又はＬＥＤチップ１０２とが
振動に起因して細かく衝突したり、レンズ１０３と基板１０１又はＬＥＤチップ１０２と
が振動に起因して擦れ、騒音が生じるという問題を生じる。
【０００６】
そこで、本発明は、このような従来の照明装置の問題点を解決することを目的とする。
【課題を解決するための手段】
【０００７】
請求項１の発明は、図１，図２，図６乃至図１０に示すように、基板３に実装されたＬ
ＥＤパッケージ４と、前記ＬＥＤパッケージ４に対向するように配置され、前記ＬＥＤパ
ッケージ４からの光を透過するレンズ５と、前記レンズ５を前記ＬＥＤパッケージ４に対
して位置決めした状態で前記基板３上に支持するレンズホルダ６と、前記レンズホルダ６
を前記基板３に押圧固定するホルダ固定手段２と、を備えた照明装置１に関するものであ
る。この発明において、
前記レンズ５は、
・レンズ中心軸Ｌ１を中心とするリング状のフランジ部１７が外周に沿って形成されて
おり、
・前記ＬＥＤパッケージ４からの立体的な出射光束の中心の光が進行する方向を光軸Ｌ
０とすると、レンズ中心軸Ｌ１と前記光軸Ｌ０とが同心となるように前記レンズホルダ６
で支持され、
前記レンズホルダ６は、
・前記レンズ５の前記フランジ部１７を保持するレンズ保持部２１と、このレンズ保持
部２１よりも前記レンズ中心軸Ｌ１から離れて位置し且つ前記レンズ保持部２１を取り囲
むように位置して前記ホルダ固定手段２によって前記基板３に押圧固定されるホルダ固定
部２２，３６と、前記レンズ保持部２１と前記ホルダ固定部２２，３６とを部分的に接続
する連結部２３，２４，３７と、を有し、
・前記ホルダ固定部２２，３６の前記基板３からの高さが前記レンズ保持部２１の前記
基板３からの高さよりも高く、前記レンズ保持部２１が前記ホルダ固定手段２に接触しな
いようになっており、
・前記ホルダ固定部２２，３６が前記ホルダ固定手段２によって高さ方向に押圧された
としても、前記ホルダ固定部２２，３６の変形が前記レンズ保持部２１に影響しないよう
に、前記レンズ保持部２１と前記ホルダ固定部２２，３６の高さ方向の一部分が前記連結
部２３，２４，３７で連結されている。
【発明の効果】
【０００８】
本発明の照明装置は、ホルダ固定手段の締め付け力がレンズを保持するレンズ保持部に
直接作用せず、レンズホルダによってレンズを変形させることが抑制されるため、光学性
能の低下を生じない。
【０００９】
また、本発明の照明装置は、ホルダ固定手段の締め付け力が作用するレンズホルダのホ
ルダ固定部の変形がレンズホルダのレンズ保持部におけるレンズの支持精度に悪影響を与
えることが抑えられ、レンズとＬＥＤパッケージとの設計上の位置関係にずれを生じるの
が抑えられ、光学性能の低下を生じない。
【００１０】
また、本発明の照明装置は、ＬＥＤパッケージからの光の利用効率を高めるために、レ
ンズとＬＥＤパッケージとの隙間を微小に設計した場合でも、レンズを弾性的に支持する
レンズホルダのレンズ保持部がホルダ固定手段の締め付け力によって変形させられること
が抑制され、レンズがレンズホルダのレンズ保持部によって高精度に保持され、レンズと
ＬＥＤパッケージとの隙間が確実に保持され、レンズがＬＥＤパッケージに突き当たるよ
うなことがなく、レンズ又はＬＥＤパッケージが損傷するようなことがない。
【００１１】
また、本発明の照明装置は、車両等の振動が作用する箇所に使用されても、レンズとＬ
ＥＤチップとの隙間が確実に保持されるため、レンズとＬＥＤパッケージとが振動に起因
して細かく衝突したり、レンズとＬＥＤパッケージとが振動に起因して擦れるようなこと
がなく、振動に起因する騒音の発生が防止される。
【図面の簡単な説明】
【００１２】
【図１】本発明の第１実施形態に係る照明装置を示す図であり、図１（ａ）が照明装置の平面図、図１（ｂ）が図１（ａ）のＡ１−Ａ１線に沿って切断して示す照明装置の断面図である。
【図２】図２（ａ）は、図１（ａ）に示す照明装置のホルダ固定手段を省略して示す平面図であり、図２（ｂ）は、図２（ａ）のＡ２−Ａ２線に沿って切断して示す照明装置の断面図である。
【図３】図１の照明装置を構成するホルダ固定手段のうちのホルダ押さえ板を示す斜視図である。
【図４】図１の照明装置を構成するレンズの図であり、図５（ａ）がレンズの正面図、図５（ｂ）がレンズの平面図、図５（ｃ）がレンズの裏面図、図５（ｄ）が図５（ｂ）のＡ３−Ａ３線に沿って切断して示すレンズの断面図である。
【図５】図１の照明装置を構成するレンズホルダの図であり、図４（ａ）がレンズホルダの平面図、図４（ｂ）が図４（ａ）のＡ４−Ａ４線に沿って切断して示すレンズホルダの断面図、図４（ｃ）が図４（ａ）のＡ５−Ａ５線に沿って切断して示すレンズホルダの断面図、図４（ｄ）がレンズホルダの裏面図である。
【図６】本発明の第２実施形態に係る照明装置を示す図であり、ホルダ固定手段を省略して示す図である。なお、図６（ａ）が図２（ａ）に対応する図であり、図６（ｂ）が図６（ａ）のＡ６−Ａ６線に沿って切断して示す断面図であり且つ図２（ｂ）に対応する図である。
【図７】本発明の第３実施形態に係る照明装置を示す図であり、ホルダ固定手段を省略して示す図である。なお、図７（ａ）が図２（ａ）に対応する図であり、図７（ｂ）が図７（ａ）のＡ７−Ａ７線に沿って切断して示す断面図であり且つ図２（ｂ）に対応する図である。
【図８】本発明の第４実施形態に係る照明装置を示す図であり、ホルダ固定手段を省略して示す図である。なお、図８（ａ）が図２（ａ）に対応する図であり、図８（ｂ）が図８（ａ）のＡ８−Ａ８線に沿って切断して示す断面図であり且つ図２（ｂ）に対応する図である。
【図９】本発明の第５実施形態に係る照明装置を示す図であり、ホルダ固定手段を省略して示す図である。なお、図９（ａ）が図２（ａ）に対応する図であり、図９（ｂ）が図９（ａ）のＡ９−Ａ９線に沿って切断して示す断面図であり且つ図２（ｂ）に対応する図である。
【図１０】本発明の第６実施形態に係る照明装置を示す図であり、ホルダ固定手段を省略して示す図である。なお、図１０（ａ）が図２（ａ）に対応する図であり、図１０（ｂ）が図１０（ａ）のＡ１０−Ａ１０線に沿って切断して示す断面図であり且つ図２（ｂ）に対応する図である。また、図１０（ｃ）は、図１０（ａ）のＡ１１−Ａ１１線に沿って切断して示す図であり、レンズを省略して示す照明装置（すなわち、レンズホルダ）の断面図である。
【図１１】従来の照明装置の縦断面図である。
【発明を実施するための形態】
【００１３】
以下、本発明の実施の形態を図面に基づき詳述する。
【００１４】
［第１実施形態］
図１乃至図２は、本発明の第１実施形態に係る照明装置１を示す図である。なお、図１
（ａ）は、照明装置１の平面図である。また、図１（ｂ）は、図１（ａ）のＡ１−Ａ１線
に沿って切断して示す照明装置１の断面図である。また、図２（ａ）は、ホルダ固定手段
２を省略して示す照明装置１の平面図である。また、図２（ｂ）は、図２（ａ）のＡ２−
Ａ２線に沿って切断して示す照明装置１の断面図である。
【００１５】
（照明装置の概略構成）
図１に示すように、照明装置１は、基板３に実装されたＬＥＤパッケージ４と、このＬ
ＥＤパッケージ４からの光を透過するレンズ５と、このレンズ５をＬＥＤパッケージ４に
対して位置決めした状態で基板３上に支持するレンズホルダ６と、このレンズホルダ６を
基板３に押圧固定するホルダ固定手段２と、を備えている。
【００１６】
（ホルダ固定手段）
図１及び図３に示すように、ホルダ固定手段２は、金属プレート（鋼板、ステンレス板
等）をプレス加工して形成したホルダ押さえ板７と、このホルダ押さえ板７の基板側固定
部７ａをワッシャ８を介して基板３に締め付け固定するねじ１０及びナット１１と、から
なっている。
【００１７】
ホルダ押さえ板７は、両端の基板側固定部７ａ，７ａの間に、基板側固定部７ａから上
方（図１（ｂ）のＺ軸方向、図３のＺ軸方向）へ張り出すレンズホルダ収容部７ｂが折り
曲げ形成されている。このホルダ押さえ板７のレンズホルダ収容部７ｂは、レンズホルダ
６の側面側との間に隙間１２が生じるように基端側固定部７ａから上方へ起立する起立壁
７ｂ１と、レンズホルダ６の上端に当接するように一対の起立壁７ｂ１，７ｂ１を接続す
る天井壁７ｂ２と、からなっている。そして、ホルダ押さえ板７の基板側固定部７ａには
、基板３のねじ穴１３の位置に合致するように、ねじ挿入穴１４が形成されている。また
、ホルダ押さえ板７の天井壁７ｂ２には、レンズホルダ６に保持されたレンズ５の出射面
１５を外部に露出させるレンズ嵌合穴１６が形成されている。
【００１８】
このように形成されたホルダ押さえ板７は、基板側固定部７ａを基板３上に乗せた状態
で、レンズホルダ収容部７ｂの内部空間に、レンズ５を保持したレンズホルダ６を収容で
きるようになっている。なお、ホルダ押さえ板７は、基板側固定部７ａとレンズホルダ収
容部７ｂとの境界線（折り曲げ線）及び起立壁７ｂ１と天井壁７ｂ２との境界線（折り曲
げ線）が幅方向（図１（ａ）のＹ軸方向）に沿って延びている。
【００１９】
（レンズ）
図１，図２及び図４に示すように、レンズ５は、レンズ中心軸Ｌ１を中心とするリング
状のフランジ部１７の下面側に入射面１８及び全反射面２０が形成され、フランジ部１７
の上面側に出射面１５が形成されている。このレンズ５は、例えば、ＰＭＭＡ（ポリメタ
クリル酸メチル）、ＰＣ（ポリカーボネート）、ＥＰ（エポキシ樹脂）等の透明樹脂材料
や透明なガラスで形成されている。
【００２０】
入射面１８は、基板３に実装されたＬＥＤパッケージ４に対向するように位置しており
、下方（ＬＥＤパッケージ４）に向かって開口する凹面であり、レンズ中心軸Ｌ１を中心
とするように形成されている。そして、この入射面１８は、下方から上方へ向かうにした
がって縮径するテーパ面であり且つレンズ中心軸Ｌ１を中心とする回転対称面である第１
入射面部１８ａと、第１入射面部１８ａの上端部に位置し且つレンズ中心軸Ｌ１に直交す
る円形状の第２入射面部１８ｂとからなっている。
【００２１】
全反射面２０は、下方（第１入射面部１８ａの開口縁近傍）から上方へ向かって拡径す
るテーパ面であり、レンズ中心軸Ｌ１を中心とする回転対称面である。この全反射面２０
は、入射面１８からレンズ内部に入射したＬＥＤパッケージ４からの光を出射面１５側へ
向けて全反射するようになっている。
【００２２】
出射面１５は、フランジ部１７の上面から上方へ向かうにしたがってレンズ中心軸Ｌ１
上に収斂する円錐面である。この出射面１５は、入射面１８からレンズ５内に入射して直
接到達した光、及び入射面１８からレンズ５内に入射した後に全反射面２０で反射されて
到達した光をレンズ５の外方へ出射する。
【００２３】
このようなレンズ５は、ＬＥＤパッケージ４からの立体的な出射光束の中心の光が進行
する方向を光軸Ｌ０とすると、レンズ中心軸Ｌ１が光軸Ｌ０と同心となるように、レンズ
ホルダ６によって基板３上に支持される。
【００２４】
（レンズホルダ）
図１，図２及び図５に示すように、レンズホルダ６は、レンズ５のフランジ部１７を弾
性的に保持するレンズ保持部２１と、このレンズ保持部２１よりも中心軸Ｌ２から離れて
位置し且つレンズ保持部２１を取り囲むように位置するホルダ固定部２２と、これらレン
ズ保持部２１とホルダ固定部２２とを部分的に接続する連結部２３，２４と、からなって
いる。このレンズホルダ６は、レンズ保持部２１，ホルダ固定部２２及び連結部２３，２
４が一体に射出成形されたものであり、全体が弾性変形可能な樹脂材料で形成されている
。
【００２５】
レンズ保持部２１は、レンズ５のフランジ部１７の上面を押さえる一対の第１レンズ保
持部分２５，２５と、レンズ５のフランジ部１７の下面に当接する一対の第２レンズ保持
部分２６，２６と、を有している。なお、一対の第１レンズ保持部分２５，２５と一対の
第２レンズ保持部分２６，２６は、レンズホルダ６の中心軸Ｌ２を中心とする円筒状部材
を上端から下端近傍へ向かって延びるスリット２７で区分けられるようになっており、下
端部が接続されている。そして、一対の第１レンズ保持部分２５，２５は、中心軸Ｌ２を
中心として対向するように位置している。また、一対の第２レンズ保持部分２６，２６は
、一対の第１レンズ保持部分２５，２５に対して中心軸Ｌ０を中心として周方向に９０°
ずれて位置しており、中心軸Ｌ０を中心として対向するように位置している。
【００２６】
第１レンズ保持部分２５は、上端のフック２５ａがレンズ５のフランジ部１７の上面を
周方向に沿って押さえるようになっている。
【００２７】
第２レンズ保持部分２６は、第１レンズ保持部分２５に接続された下端部を除き、スリ
ット２７によって第１レンズ保持部分２５から切り離されており、第１レンズ保持部分２
５に対して独立して撓み変形できるようになっている。この第２レンズ保持部分２６は、
その周方向に沿った幅寸法が第１レンズ保持部分２５に比較して小さく、第１レンズ保持
部分２５に比較して容易に撓み変形できるようになっている。また、第２レンズ保持部分
２６の上端側には、径方向内方へ出っ張る操作突起２８が形成されている。また、第２レ
ンズ保持部分２６の上端面は、レンズホルダ６の中心軸Ｌ２から離れるにしたがって操作
突起２８の上端縁から斜め上方へ向かって切り上がる傾斜面３０である。
【００２８】
このように形成された一対の第２レンズ保持部分２５，２５は、レンズ５がレンズ保持
部２１の内部空間内にレンズ保持部２１の下方から挿入されると、レンズ５のフランジ部
１７によって中心軸Ｌ２から離れる方向へ（外側へ向けて）撓み変形させられ、レンズ５
のフランジ部１７の通過（上方への移動）を可能にする。そして、一対の第２レンズ保持
部分２５，２５は、レンズ５のフランジ部１７が上方側へ通過すると弾性復元して、傾斜
面３０をレンズ５のフランジ部１７の下面側外周端縁に弾性的に押し付け、レンズ５のフ
ランジ部１７を第１レンズ保持部分２５のフック２５ａの下面に押し付ける。これにより
、レンズ５のフランジ部１７は、一対の第１レンズ保持部分２５，２５と一対の第２レン
ズ保持部分２６，２６とによって弾性的に保持されることになる。
【００２９】
ホルダ固定部２２は、レンズ保持部２１の外側に、レンズ保持部２１と同心状に位置し
ている。そして、このホルダ固定部２２は、下端部を除き、第２レンズ保持部分２６に対
応して形成された切り欠き部３１によって、円筒状部材を周方向に二分割したようになっ
ている。また、このホルダ固定部２２は、高さ方向の寸法（Ｚ軸方向の寸法）がレンズ保
持部２１の高さ方向の寸法よりも大きくなるように形成されている。すなわち、ホルダ固
定部２２の上端は、レンズ保持部２１の上端よりも上方に位置している。その結果、レン
ズホルダ６がホルダ固定手段２によって基板３に固定される際に、ホルダ固定部２２はホ
ルダ押さえ板７によって基板３に押し付けられるが、レンジ保持部２１はホルダ押さえ板
７に当接することがなく、レンズ保持部２１にホルダ固定手段２の力が直接作用すること
がない。
【００３０】
また、ホルダ固定部２２は、その高さ方向の中間位置が第１の連結部２３によってレン
ズ保持部２１の第１レンズ保持部分２５と部分的に接続されている。また、ホルダ固定部
２２は、下端部が第２の連結部２４によってレンズ保持部２１の第１レンズ保持部分２５
以外の箇所と部分的に接続されている。なお、第１の連結部２３及び第２の連結部２４の
肉厚は、ホルダ固定部２２の肉厚とほぼ同様の肉厚に形成されている。
【００３１】
このように、レンズ保持部２１とホルダ固定部２２とが第１の連結部２３及び第２の連
結部２４によって部分的に接続されることにより、ホルダ固定部２２がホルダ固定手段２
で基板３に押圧固定される際に、ホルダ固定部２２がホルダ固定手段２の締め付け力で変
形させられたとしても、ホルダ固定部２２の変形がレンズ保持部２１に影響を与えるのを
抑えることができる。これにより、レンズ保持部２１は、レンズ５を基板３上に精度良く
保持することができる。
【００３２】
このようなレンズホルダ６は、ＬＥＤパッケージ４からの光の利用効率を高めるために
、レンズ５の下端とＬＥＤパッケージ４との隙間が微小に設定され、ホルダ固定部２２が
ホルダ固定手段２によって変形させられたとしても、レンズ保持部２１が変形させられる
ことを抑えることができ、レンズ保持部２１がレンズ５を高精度に支持することができる
ため、レンズ５がＬＥＤパッケージ４に突き当てられるようなことがない。
【００３３】
また、レンズホルダ６は、その裏面３２に一対の位置決め突起３３，３３が形成されて
おり、この一対の位置決め突起３３，３３を基板３に形成された図示しない一対の位置決
め穴に係合させた状態で、その裏面３２を基板３上に乗せることにより、レンズホルダ６
の中心軸Ｌ２をＬＥＤパッケージ４の光軸Ｌ０に合致させ、レンズホルダ６のレンズ保持
部２１で保持したレンズ５の中心軸Ｌ１をＬＥＤパッケージ４の光軸Ｌ０に合致させるこ
とができる。
【００３４】
（第１実施形態の効果）
本実施形態に係る照明装置１は、ホルダ固定手段２の締め付け力がレンズ５を保持する
レンズ保持部２１に直接作用せず、レンズホルダ６によってレンズ５を変形させることが
抑制されるため、光学性能の低下を生じない。
【００３５】
また、本実施形態に係る照明装置１は、ホルダ固定手段２の締め付け力が作用するレン
ズホルダ６のホルダ固定部２２の変形がレンズホルダ６のレンズ保持部２１におけるレン
ズ５の支持精度に悪影響を与えることが抑えられるため、レンズ５とＬＥＤパッケージ４
との設計上の位置関係にずれを生じるのが抑えられ、光学性能の低下を生じない。
【００３６】
また、本実施形態に係る照明装置１は、ＬＥＤパッケージ４からの光の利用効率を高め
るために、レンズ５とＬＥＤパッケージ４との隙間を微小に設計した場合でも、レンズ５
を弾性的に支持するレンズホルダ６のレンズ保持部２１がホルダ固定手段２の締め付け力
によって変形させられることが抑制され、レンズ５がレンズホルダ６のレンズ保持部２１
によって高精度に保持され、レンズ５とＬＥＤパッケージ４との隙間が確実に保持され、
レンズ５がＬＥＤパッケージ４に突き当たるようなことがなく、レンズ５又はＬＥＤパッ
ケージ４が損傷するようなことがない。
【００３７】
また、本実施形態に係る照明装置１は、車両等の振動が作用する箇所に使用されても、
レンズ５とＬＥＤチップ４との隙間が確実に保持されるため、レンズ５とＬＥＤパッケー
ジ４とが振動に起因して細かく衝突したり、レンズ５とＬＥＤパッケージ４とが振動に起
因して擦れるようなことがなく、振動に起因する騒音の発生が防止される。
【００３８】
［第２実施形態］
図６は、本発明の第２実施形態に係る照明装置１を示す図であり、ホルダ固定手段２を
省略して示す図であって、図２に対応する図である。なお、図６に示す照明装置１におい
て、図２に示す照明装置１に対応する構成部分には図２に示す照明装置１の構成部分と同
一の符号を付し、第１実施形態に係る照明装置１の説明と重複する説明を省略する。
【００３９】
すなわち、本実施形態に係る照明装置１は、レンズ保持部２１及び第２の連結部２４が
ホルダ固定部２２の裏面３２よりも上方（＋Ｚ軸方向）にずれて位置しており、レンズホ
ルダ６を基板３に乗せた場合に、レンズ保持部２１及び第２の連結部２４と基板３との間
に隙間が生じるようになっている。
【００４０】
このような構成の本実施形態に係る照明装置１は、レンズ５を弾性的に保持するレンズ
保持部２１に基板３側の振動が直接伝わることがなく、車両振動等の振動に起因するレン
ズ５の振動を防止することができる。
【００４１】
また、本実施形態に係る照明装置１は、第１実施形態に係る照明装置１と同様の効果を
得ることができる。
【００４２】
［第３実施形態］
図７は、本発明の第３実施形態に係る照明装置１を示す図であり、ホルダ固定手段２を
省略して示す図であって、図２に対応する図である。なお、図７に示す照明装置１におい
て、図２に示す照明装置１に対応する構成部分には図２に示す照明装置１の構成部分と同
一の符号を付し、第１実施形態に係る照明装置１の説明と重複する説明を省略する。
【００４３】
すなわち、本実施形態に係る照明装置１は、レンズホルダ６のレンズ保持部２１とホル
ダ固定部２２とを部分的に接続する第１の連結部２３を省略し、レンズ保持部２１とホル
ダ固定部２２を第２の連結部２４で部分的に接続するようになっている。なお、本実施形
態において、第２の連結部２４は、レンズ保持部２１の下端部とホルダ固定部２２の下端
部の全周を一体に接続している。
【００４４】
このような構成の本実施形態に係る照明装置１は、第１実施形態に係る照明装置１と同
様の効果を得ることができる。
【００４５】
［第４実施形態］
図８は、本発明の第４実施形態に係る照明装置１を示す図であり、ホルダ固定手段２を
省略して示す図であって、図２に対応する図である。なお、図８に示す照明装置１は、図
７に示す照明装置１の変形例であるから、図２及び図７に示す照明装置１に対応する構成
部分には図２及び図７に示す照明装置１の構成部分と同一の符号を付し、図２及び図７に
示す照明装置１の説明と重複する説明を省略する。
【００４６】
すなわち、本実施形態に係る照明装置１は、レンズホルダ６の第２の連結部２４をその
肉厚方向（Ｚ軸方向）に貫通する肉抜き穴３４が、第２の連結部２４の周方向に沿って等
間隔で複数形成されている。
【００４７】
このような構成の本実施形態に係る照明装置１は、肉抜き穴３４の分だけレンズホルダ
６の材料を少なくすることができ、全体の重量を軽減することができる。
【００４８】
また、本実施形態に係る照明装置１は、第１実施形態に係る照明装置１と同様の効果を
得ることができる。
【００４９】
［第５実施形態］
図９は、本発明の第５実施形態に係る照明装置１を示す図であり、ホルダ固定手段２を
省略して示す図であって、図２に対応する図である。なお、図９に示す照明装置１は、図
２に示す照明装置１の変形例であるから、図２に示す照明装置１に対応する構成部分には
図２に示す照明装置１の構成部分と同一の符号を付し、第１実施形態に係る照明装置１の
説明と重複する説明を省略する。
【００５０】
すなわち、本実施形態に係る照明装置１は、第１の連結部２３及びホルダ固定部２２が
周方向に沿って等間隔に配置された３箇所の切り欠き部３５によって分断されるようにな
っている。
【００５１】
このような本実施形態に係る照明装置１は、切り欠き部３５の分だけレンズホルダ６の
材料を少なくすることができ、全体の重量を軽減することができる。
【００５２】
また、本実施形態に係る照明装置１は、第１実施形態に係る照明装置１と同様の効果を
得ることができる。
【００５３】
［第６実施形態］
図１０（ａ），（ｂ）は、本発明の第６実施形態に係る照明装置１を示す図であり、ホ
ルダ固定手段２を省略して示す図であって、図２（ａ），（ｂ）に対応する図である。ま
た、図１０（ｃ）は、図１０（ａ）のＡ１１−Ａ１１線に沿って切断して示す図であり、
レンズ５を省略して示す照明装置１（すなわち、レンズホルダ６）の断面図である。なお
、図１０に示す照明装置１は、図２に示す照明装置１の変形例であり、図２に示す照明装
置１に対応する構成部分には図２に示す照明装置１の構成部分と同一の符号を付し、第１
実施形態に係る照明装置１の説明と重複する説明を省略する。
【００５４】
すなわち、本実施形態に係る照明装置１は、第１実施形態に係る照明装置１のホルダ固
定部２２に代え、円錐台形状の４個のホルダ固定部３６をレンズ保持部２１の周囲に等間
隔で配置し、各ホルダ固定部３６を連結部３７によってレンズ保持部２２の外側面に部分
的に接続するようになっている。そして、ホルダ固定部２２は、裏面３２側に開口する肉
抜き穴３８が形成されている。
【００５５】
このような本実施形態に係る照明装置１は、レンズホルダ６の材料を少なくすることが
でき、全体の重量を軽減することができる。
【００５６】
また、本実施形態に係る照明装置１は、第１実施形態に係る照明装置１と同様の効果を
得ることができる。
【００５７】
［その他の変形例］
図６に示した第２実施形態に係る照明装置１の構成（レンズ保持部２１及び第２の連結
部２４と基板３との間に隙間を生じさせる構成）は、第３乃至第５実施形態に係る照明装
置１のレンズ保持部２１及び第２の連結部２４に適用することができ、第６実施形態に係
る照明装置１のレンズ保持部２１と連結部３７に適用することができる。
【００５８】
また、図８に示した第４実施形態に係る照明装置１の構成（連結部２４に肉抜き穴３４
を形成する構成）は、第１乃至第２実施形態に係る照明装置１及び第５実施形態に係る照
明装置１の第１の連結部２３に適用することができる。
【００５９】
また、本発明の実施形態では、レンズのフランジ部をレンズホルダのレンズ保持部で弾
性的に保持する例を示したが、レンズ保持手段はこれに限らず、レンズ保持部とレンズの
フランジ部とのねじ式嵌合や接着等の保持手段を適用することができる。
【００６０】
また、本発明の実施形態では、１つのレンズを１つのレンズホルダで保持し、これを１
つのホルダ押さえ板で固定する例を示したが、これに限られず、ホルダ押さえ板の天井壁
にレンズ嵌合穴を複数形成し、複数のレンズ及びレンズホルダを１つのホルダ押さえ板で
固定してもよい。
【産業上の利用可能性】
【００６１】
本発明に係る照明装置１は、複数個を車体等に取り付けて、車両のヘッドライトやテー
ルランプ等として使用することができる。
【符号の説明】
【００６２】
１……照明装置、２……ホルダ固定手段、３……基板、４……ＬＥＤパッケージ、５…
…レンズ、６……レンズホルダ、１７……フランジ部、２１……レンズ保持部、２２，３
６……ホルダ固定部、２３，２４，３７……連結部、Ｌ０……光軸、Ｌ１……レンズ中心
軸
【図１】
0005697252.tif 000002
【図２】
0005697252.tif 000003
【図３】
0005697252.tif 000004
【図４】
0005697252.tif 000005
【図５】
0005697252.tif 000006
【図６】
0005697252.tif 000007
【図７】
0005697252.tif 000008
【図８】
0005697252.tif 000009
【図９】
0005697252.tif 000010
【図１０】
0005697252.tif 000011
【図１１】
0005697252.tif 000012